(57)【要約】  【課題】  光ディスクへの記録時において入力映像信号が無い場合はノイズ画を記録しないようにし、その代わりに固定映像を記録できるようにした光ディスク記録再生装置を提供する。  【解決手段】  入力映像信号が無くなった場合、信号有無判定手段１７により入力映像信号が無いと判定され、これに応答して、スイッチ手段１９はフラッシュメモリ１８の出力側に切り換えられる。そして、フラッシュメモリ１８からの固定映像データがＭＰＥＧ２エンコーダ７に送られ、ＭＰＥＧ２エンコーダ７から出力された圧縮固定映像データが光ディスク１５に記録される。即ち、入力映像信号が無いときのノイズ画の代わりに、固定映像が光ディスクに記録される。したがって、この光ディスク１５を再生しても、ノイズ画は出力されず、その代わりに固定映像が出力される。【選択図】      図１
2006099823.tif 000002
【特許請求の範囲】
【請求項１】
入力されたアナログ映像信号をデコードしてデジタル映像信号に変換するビデオデコー
ダと、このビデオデコーダなどからのデジタル映像信号を所定の圧縮符号化方式でエンコ
ードし記録用に圧縮された映像データとして出力するビデオエンコーダとを備え、光ディ
スクに対して情報の記録／再生を行う光ディスク記録再生装置において、固定映像データ
を予め記憶したフラッシュメモリと、前記ビデオデコーダの出力または前記フラッシュメ
モリの出力を選択して前記ビデオエンコーダに入力するスイッチ手段と、記録処理時に入
力映像信号の有無を判定する信号有無判定手段と、この信号有無判定手段により入力映像
信号が有ると判定された場合には前記スイッチ手段が前記ビデオデコーダの出力を選択す
るように前記スイッチ手段を駆動させ、前記入力映像信号が無いと判定された場合には前
記スイッチ手段が前記フラッシュメモリの出力を選択するように前記スイッチ手段を駆動
させるスイッチ駆動手段とを備え、前記入力映像信号が無い場合は前記フラッシュメモリ
からの固定映像データを光ディスクに記録し、また、前記固定映像データを光ディスクに
記録する際、ＤＶＤビデオ規格に準拠させ前記固定映像データをセルの先頭のＶＯＢＵの
みに記録することを特徴とする光ディスク記録再生装置。
【請求項２】
光ディスクに対して情報の記録／再生を行う光ディスク記録再生装置において、固定映
像データを予め記憶したフラッシュメモリと、入力映像信号を処理して得た映像信号と前
記フラッシュメモリからの固定映像データとの何れかを選択して出力するスイッチ手段と
、記録処理時に入力映像信号の有無を判定する信号有無判定手段と、この信号有無判定手
段により前記入力映像信号が無いと判定された場合には前記スイッチ手段が前記フラッシ
ュメモリの出力を選択するように前記スイッチ手段を駆動させるスイッチ駆動手段とを備
え、前記入力映像信号が無い場合は前記フラッシュメモリからの固定映像データを光ディ
スクに記録することを特徴とする光ディスク記録再生装置。
【請求項３】
前記入力映像信号を処理して得た映像信号とは、入力されたアナログ映像信号をビデオ
デコーダによりデコードして得られたデジタル映像信号であり、前記スイッチ手段から出
力された信号は、前記ビデオデコーダからのデジタル映像信号または前記フラッシュメモ
リからの固定映像データを所定の圧縮符号化方式でエンコードし記録用に圧縮された映像
データとして出力するビデオエンコーダに与えられることを特徴とする請求項２に記載の
光ディスク記録再生装置。
【請求項４】
前記固定映像データを光ディスクに記録する際、ＤＶＤビデオ規格に準拠させ前記固定
映像データをセルの先頭のＶＯＢＵのみに記録することを特徴とする請求項２に記載の光
ディスク記録再生装置。
【発明の詳細な説明】
【技術分野】
【０００１】
本発明は、光ディスクに対して情報の記録／再生を行うＤＶＤ（デジタル・バーサタイ
ル・ディスク）レコーダなどの光ディスク記録再生装置に関し、特に、記録時に入力映像
信号が無い時に行う映像切換処理に関する。
【背景技術】
【０００２】
図５は従来の光ディスク記録再生装置の構成を示すブロック図である。この光ディスク
記録再生装置は、図示しないチューナなどから入力されたアナログ映像信号をデコードす
ることによりデジタル映像信号に変換するビデオデコーダ５と、このビデオデコーダ５か
らのデジタル映像信号をＭＰＥＧ２（Moving Picture Experts Group 2）方式でエンコー
ドするビデオエンコーダとしてのＭＰＥＧ２エンコーダ７と、チューナなどから入力され
たアナログ音声信号をデジタル音声信号に変換するオーディオＡ／Ｄ変換回路６と、この
オーディオＡ／Ｄ変換回路６からのデジタル音声信号をバッファおよび圧縮するオーディ
オバッファ回路および圧縮回路を含み圧縮音声データとして出力するオーディオ処理回路
８とを備えている。
【０００３】
また、この光ディスク記録再生装置は、再生時に入力された圧縮映像データをＭＰＥＧ
２方式に従ってデコード処理を行うＭＰＥＧ２デコーダ９と、このＭＰＥＧ２デコーダ９
からのデジタル映像信号をエンコードしてアナログ映像信号に変換して出力するビデオエ
ンコーダ１１と、再生時に入力されたデジタル音声データを伸張およびバッファして出力
する伸張回路およびオーディオバッファ回路を含むオーディオ処理回路１０と、このオー
ディオ処理回路１０からのデジタル音声信号をアナログ音声信号に変換して出力するオー
ディオＤ／Ａ変換回路１２とを備えている。
【０００４】
更に、この光ディスク記録再生装置は、ＭＰＥＧ２エンコーダ７の出力信号およびオー
ディオ処理回路８の出力信号を、フロントエンド（ローダー）１４に送ったり、フロント
エンド１４からの出力信号を、ＭＰＥＧ２デコーダ９およびオーディオ処理回路１０に送
ったりするストリームコントローラ１３と、ＣＰＵなどを含み構成され装置全体を制御す
るシステムコントローラ１６を備えている。
【０００５】
ビデオデコーダ５およびオーディオＡ／Ｄ変換回路６は第１の信号処理回路１に含まれ
、ＭＰＥＧ２エンコーダ２およびオーディオ処理回路８は第２の信号処理回路２に含まれ
る。また、ＭＰＥＧ２デコーダ９およびオーディオ処理回路１０は第３の信号処理回路３
に含まれ、ビデオエンコーダ１１およびオーディオＤ／Ａ変換回路１２は第４の信号処理
回路４に含まれる。第１の信号処理回路１および第２の信号処理回路２は記録系の処理回
路であり、第３の信号処理回路３および第４の信号処理回路４は再生系の処理回路である
。
【０００６】
次に、この従来の光ディスク記録再生装置の映像切換処理について説明する。このフロ
ーチャートを参照して、この従来の光ディスク記録再生装置において、映像音声情報を記
録する際の映像切換処理について説明する。
【０００７】
例えば、テレビジョン放送番組を記録するために光ディスク１５を用意し、この光ディ
スク１５を光ディスク記録再生装置に挿入する。そして、光ディスク記録再生装置を記録
モード（録画モード）に設定すると、記録したいテレビジョン放送番組の映像信号および
音声信号が、光ディスク記録再生装置内のチューナ（図示せず）またはテレビジョン受信
機の外部出力端子（図示せず）から出力され、ビデオデコーダ５およびオーディオＡ／Ｄ
変換回路６にそれぞれ入力される。
【０００８】
そして、ビデオデコーダ５からのデジタル映像信号は、ＭＰＥＧ２エンコーダ７に入力
され、ＭＰＥＧ２方式でエンコードされることになる。オーディオＡ／Ｄ変換回路６から
のデジタル音声信号は、オーディオ処理回路８に入力され、圧縮される。ＭＰＥＧ２エン
コーダ７からの圧縮映像データとオーディオ処理回路８からの圧縮音声データとは、スト
リームコントローラ１３を介して圧縮映像音声データとなり、この圧縮映像音声データは
フロントエンド１４に入力される。これにより、フロントエンド１４は、図示しない光ピ
ックアップを駆動して、その圧縮映像音声データを光ディスク１５に記録する。
【０００９】
光ディスク１５に記録された映像音声データを再生する場合は、光ディスク記録再生装
置を再生モードに設定し、再生を開始させると、フロントエンド１４は、光ディスク１５
から圧縮映像音声データを光ピックアップにより読み出し、ストリームコントローラ１３
に入力する。そして、ストリームコントローラ１３は、入力された圧縮映像音声データを
圧縮映像データと圧縮音声データとに分離し、圧縮映像データをＭＰＥＧ２デコーダ９に
入力し、圧縮音声データをオーディオ処理回路１０に入力する。
【００１０】
ＭＰＥＧ２デコーダ９は、ストリームコントローラ１３からの圧縮映像データをＭＰＥ
Ｇ２方式でデコードし、デジタル映像信号としてビデオエンコーダ１１に入力する。これ
により、ビデオエンコーダ１１は、デジタル映像信号をエンコードし、アナログ映像信号
として出力する。そのアナログ映像信号は、図示しないテレビジョンの表示装置に供給さ
れることにより、映像が表示装置に表示されることになる。
【００１１】
オーディオ処理回路１０は、ストリームコントローラ１３からの圧縮音声データを伸張
処理し、デジタル音声信号としてオーディオＤ／Ａ変換回路１２に入力する。これにより
、オーディオＤ／Ａ変換回路１２は、デジタル音声信号をＤ／Ａ変換し、アナログ音声信
号として出力する。このアナログ音声信号は、図示しないテレビジョンの音声回路に供給
されることにより、音声がスピーカから出力されることになる。
【特許文献１】特開２００４−１４７２０４号公報
【特許文献２】特開２００２−２８１４５２号公報
【特許文献３】特開２００３−４６９４４号公報
【特許文献４】特開２００２−２１８３３１号公報
【発明の開示】
【発明が解決しようとする課題】
【００１２】
ところで、このような構成を有する従来の光ディスク記録再生装置を用いてテレビジョ
ン番組を記録している最中に、例えば、アンテナが抜かれたりしてチャンネル入力（入力
映像信号）が無くなったときに、テレビジョンの表示装置にはブルー画面が出るようにな
っている。しかしながら、このブルー画面の中身の映像信号はノイズだけになっており、
ノイズ画も映像信号として扱われるので、このときに光ディスクに記録される映像信号は
ノイズに相当し、光ディスクにはノイズ画が記録されることになる。
【００１３】
したがって、このようなノイズ画を記録した光ディスクを、他のＤＶＤプレイヤー、Ｄ
ＶＤレコーダなどで再生した場合、入力映像信号が無い箇所はノイズ画が出るので、視聴
者にとっては不快感を与えていた。また、ノイズ画は周波数が高いため記録ビットを多く
必要とし、光ディスクの記録効率の低下に繋がる傾向もあった。
【００１４】
なお、特許文献１の従来技術は、自動的に判別されたコンテンツデータの本編の映像情
報により、当該コンテンツデータを参照可能なサムネイルデータを作成するようにしてい
るが、入力映像信号が無いときにノイズ画が出ないようにする対策は施されていない。
【００１５】
特許文献２，３の従来技術は、磁気記録再生装置に関するものであり、光ディスク記録
再生装置に関するものではない。
【００１６】
特許文献４の従来技術は、映像または音声の無信号状態を検出した際に、ユーザがハー
ドディスクやカード型記録媒体に予め記録しておいた画像ファイルや音声ファイルを読み
出し再生出力することで、砂嵐画面や全青画面あるいは全黒画面、またはノイズ音に代え
て、静止画像のスライドショーやＢＧＭ音を視聴できるように構成されているが、記録媒
体にノイズが記録された場合に表示側で、そのノイズが出ないようにしている。例えば、
ＤＶＤなどの光ディスクを記録媒体として使用した場合を想定すると、その光ディスクに
ノイズが記録されることになるので、他の再生装置で再生すると、ノイズが表示画面に現
れることになる。
【００１７】
本発明は、上記のような課題を解決するためになされたもので、光ディスクへの記録時
において入力映像信号が無い場合はノイズ画を記録しないようにし、その代わりに固定映
像を記録できるようにした光ディスク記録再生装置を提供することを目的とする。
【課題を解決するための手段】
【００１８】
上記目的を達成するために、請求項１の発明は、入力されたアナログ映像信号をデコー
ドしてデジタル映像信号に変換するビデオデコーダと、このビデオデコーダなどからのデ
ジタル映像信号を所定の圧縮符号化方式でエンコードし記録用に圧縮された映像データと
して出力するビデオエンコーダとを備え、光ディスクに対して情報の記録／再生を行う光
ディスク記録再生装置において、固定映像データを予め記憶したフラッシュメモリと、前
記ビデオデコーダの出力または前記フラッシュメモリの出力を選択して前記ビデオエンコ
ーダに入力するスイッチ手段と、記録処理時に入力映像信号の有無を判定する信号有無判
定手段と、この信号有無判定手段により入力映像信号が有ると判定された場合には前記ス
イッチ手段が前記ビデオデコーダの出力を選択するように前記スイッチ手段を駆動させ、
前記入力映像信号が無いと判定された場合には前記スイッチ手段が前記フラッシュメモリ
の出力を選択するように前記スイッチ手段を駆動させるスイッチ駆動手段とを備え、前記
入力映像信号が無い場合は前記フラッシュメモリからの固定映像データを光ディスクに記
録し、また、前記固定映像データを光ディスクに記録する際、ＤＶＤビデオ規格に準拠さ
せ前記固定映像データをセルの先頭のＶＯＢＵのみに記録することを特徴とする光ディス
ク記録再生装置を提供する。
【００１９】
この構成において、記録処理時に信号有無判定手段により入力映像信号が有ると判定さ
れた場合には、スイッチ手段はビデオデコーダの出力を選択しており、これにより、ビデ
オデコーダからのデジタル映像信号がビデオエンコーダに送られ、このビデオエンコーダ
から出力された圧縮映像データが光ディスクに記録される。
【００２０】
ここで、入力映像信号が無くなった場合、信号有無判定手段により入力映像信号が無い
と判定され、これに応答して、スイッチ手段はスイッチ駆動手段によりフラッシュメモリ
の出力側に切り換えられる。そして、フラッシュメモリからの固定映像データがビデオエ
ンコーダに送られ、このビデオエンコーダから出力された圧縮固定映像データが光ディス
クに記録される。即ち、入力映像信号が無いときのノイズ画の代わりに、固定映像が光デ
ィスクに記録され、したがって、この光ディスクを再生しても、ノイズ画は出力されず、
その代わりに固定映像が出力される。
【００２１】
また、固定映像データを光ディスクに記録する際、ＤＶＤビデオ規格に準拠させ、固定
映像データをセルの先頭のＶＯＢＵのみに記録するようにした場合は、オーディオデータ
を長時間で記録でき、ＤＶＤプレイヤーなどで再生を行うことが可能になる。
【００２２】
この構成によれば、光ディスクへの記録時において入力映像信号が無い場合はノイズ画
を記録しないようにし、その代わりに固定映像を記録できるようにしたので、この光ディ
スクを再生しても、ノイズ画は画面上には現れず、ユーザに不快感を与えることがなくな
る。また、ＤＶＤビデオ規格で固定映像を記録することで、ＤＶＤプレイヤーなどでも、
その光ディスクを再生でき、また、オーディオ用として、その光ディスクを利用すること
もできる。
【００２３】
請求項２の発明は、固定映像データを予め記憶したフラッシュメモリと、入力映像信号
を処理して得た映像信号と前記フラッシュメモリからの固定映像データとの何れかを選択
して出力するスイッチ手段と、記録処理時に入力映像信号の有無を判定する信号有無判定
手段と、この信号有無判定手段により前記入力映像信号が無いと判定された場合には前記
スイッチ手段が前記フラッシュメモリの出力を選択するように前記スイッチ手段を駆動さ
せるスイッチ駆動手段とを備え、前記入力映像信号が無い場合は前記フラッシュメモリか
らの固定映像データを光ディスクに記録することを特徴とする光ディスク記録再生装置を
提供する。
【００２４】
この構成において、記録処理時に信号有無判定手段により入力映像信号が有ると判定さ
れた場合には、スイッチ手段は入力映像信号を選択しており、入力映像信号による映像デ
ータが光ディスクに記録される。
【００２５】
ここで、入力映像信号が無くなった場合、信号有無判定手段により入力映像信号が無い
と判定され、これに応答して、スイッチ手段はスイッチ駆動手段によりフラッシュメモリ
の出力側に切り換えられる。そして、フラッシュメモリからの固定映像データが光ディス
クに記録される。即ち、入力映像信号が無いときのノイズ画の代わりに、固定映像が光デ
ィスクに記録され、したがって、この光ディスクを再生しても、ノイズ画は画面上には現
れず、その代わりに固定映像が表示される。
【００２６】
この構成によれば、光ディスクへの記録時において入力映像信号が無い場合はノイズ画
を記録しないようにし、その代わりに固定映像を記録できるようにしたので、この光ディ
スクを再生しても、ノイズ画は画面上には現れず、ユーザに不快感を与えることがなくな
る。
【００２７】
請求項３の発明は、請求項２の発明において、前記入力映像信号を処理して得た映像信
号とは、入力されたアナログ映像信号をビデオデコーダによりデコードして得られたデジ
タル映像信号であり、前記スイッチ手段から出力された信号は、前記ビデオデコーダから
のデジタル映像信号または前記フラッシュメモリからの固定映像データを所定の圧縮符号
化方式でエンコードし記録用に圧縮された映像データとして出力するビデオエンコーダに
与えられるので、入力映像信号および固定映像データは圧縮したデータ形式で光ディスク
に記録することが可能になる。
【００２８】
請求項４の発明では、請求項２の発明において、前記固定映像データを光ディスクに記
録する際、ＤＶＤビデオ規格に準拠させ前記固定映像データをセルの先頭のＶＯＢＵのみ
に記録するようにした場合は、オーディオデータを長時間で記録でき、ＤＶＤプレイヤー
などで再生を行うことが可能になる。
【発明の効果】
【００２９】
以上のように本発明によれば、入力されたアナログ映像信号をデコードしてデジタル映
像信号に変換するビデオデコーダと、このビデオデコーダなどからのデジタル映像信号を
所定の圧縮符号化方式でエンコードし記録用に圧縮された映像データとして出力するビデ
オエンコーダとを備え、光ディスクに対して情報の記録／再生を行う光ディスク記録再生
装置において、固定映像データを予め記憶したフラッシュメモリと、前記ビデオデコーダ
の出力または前記フラッシュメモリの出力を選択して前記ビデオエンコーダに入力するス
イッチ手段と、記録処理時に入力映像信号の有無を判定する信号有無判定手段と、この信
号有無判定手段により入力映像信号が有ると判定された場合には前記スイッチ手段が前記
ビデオデコーダの出力を選択するように前記スイッチ手段を駆動させ、前記入力映像信号
が無いと判定された場合には前記スイッチ手段が前記フラッシュメモリの出力を選択する
ように前記スイッチ手段を駆動させるスイッチ駆動手段とを備え、前記入力映像信号が無
い場合は前記フラッシュメモリからの固定映像データを光ディスクに記録し、また、前記
固定映像データを光ディスクに記録する際、ＤＶＤビデオ規格に準拠させ前記固定映像デ
ータをセルの先頭のＶＯＢＵのみに記録するように構成したので、光ディスクへの記録時
において入力映像信号が無い場合はノイズ画を記録しないようにし、その代わりに固定映
像を記録でき、これにより、この光ディスクを再生しても、ノイズ画は画面上には現れず
、ユーザに不快感を与えることがなくなる。また、ＤＶＤビデオ規格で固定映像を記録す
ることで、ＤＶＤプレイヤーなどでも、その光ディスクを再生でき、また、オーディオ用
として、その光ディスクを利用することもできる。
【００３０】
また、本発明によれば、固定映像データを予め記憶したフラッシュメモリと、入力映像
信号を処理して得た映像信号と前記フラッシュメモリからの固定映像データとの何れかを
選択して出力するスイッチ手段と、記録処理時に入力映像信号の有無を判定する信号有無
判定手段と、この信号有無判定手段により前記入力映像信号が無いと判定された場合には
前記スイッチ手段が前記フラッシュメモリの出力を選択するように前記スイッチ手段を駆
動させるスイッチ駆動手段とを備え、前記入力映像信号が無い場合は前記フラッシュメモ
リからの固定映像データを光ディスクに記録するように構成したので、光ディスクへの記
録時において入力映像信号が無い場合はノイズ画を記録しないようにし、その代わりに固
定映像を記録でき、これにより、この光ディスクを再生しても、ノイズ画は画面上には現
れず、ユーザに不快感を与えることがなくなる。
【発明を実施するための最良の形態】
【００３１】
以下、添付図面を参照しつつ、本発明の実施の形態について説明する。図１は本発明の
一実施形態に係る光ディスク記録再生装置の構成を示すブロック図である。
【００３２】
この光ディスク記録再生装置は、図示しないチューナなどから入力されたアナログ映像
信号をデコードすることによりデジタル映像信号に変換するビデオデコーダ５と、このビ
デオデコーダ５からのデジタル映像信号をＭＰＥＧ２方式でエンコードするビデオエンコ
ーダとしてのＭＰＥＧ２エンコーダ７と、固定映像データを予め記憶したフラッシュメモ
リ１８と、ビデオデコーダ５の出力またはフラッシュメモリ１８の出力を選択してＭＰＥ
Ｇ２エンコーダ７に入力するスイッチ手段１９と、記録処理時に入力映像信号の有無を判
定する信号有無判定手段１７と、この信号有無判定手段１７により入力映像信号が有ると
判定された場合にはスイッチ手段１９がビデオデコーダ５の出力を選択するようにスイッ
チ手段１９を駆動させ、前記入力映像信号が無いと判定された場合にはスイッチ手段１９
がフラッシュメモリ１８の出力を選択するようにスイッチ手段１９を駆動させるスイッチ
駆動回路２０とを備えている。なお、スイッチ手段１９は電子回路によって構成されてい
る。
【００３３】
また、この光ディスク記録再生装置は、チューナなどから入力されたアナログ音声信号
をデジタル音声信号に変換するオーディオＡ／Ｄ変換回路６と、このオーディオＡ／Ｄ変
換回路６からのデジタル音声信号をバッファおよび圧縮するオーディオバッファ回路およ
び圧縮回路を含むオーディオ処理回路８と、再生時に入力された圧縮映像データをＭＰＥ
Ｇ２方式に従ってデコード処理を行うＭＰＥＧ２デコーダ９と、このＭＰＥＧ２デコーダ
９からのデジタル映像信号をエンコードしてアナログ映像信号に変換して出力するビデオ
エンコーダ１１と、再生時に入力されたデジタル音声データを伸張およびバッファして出
力する伸張回路およびオーディオバッファ回路を含むオーディオ処理回路１０と、このオ
ーディオ処理回路１０からのデジタル音声信号をアナログ音声信号に変換して出力するオ
ーディオＤ／Ａ変換回路１２とを備えている。
【００３４】
更に、この光ディスク記録再生装置は、ＭＰＥＧ２エンコーダ７の出力信号およびオー
ディオバッファを含むオーディオ処理回路８の出力信号を、フロントエンド（ローダー）
１４に送ったり、フロントエンド１４からの出力信号を、ＭＰＥＧ２デコーダ９およびオ
ーディオ処理回路１０に送ったりするストリームコントローラ１３と、図示しないＣＰＵ
などを含み構成され装置全体を制御するシステムコントローラ１６を備えている。このシ
ステムコントローラ１６には前述した信号有無判定手段１７なども含まれている。フロン
トエンド１４は、図示しない光ピックアップなどを有し、光ディスク１５に対して情報を
書き込んだり、読み出したりするものである。
【００３５】
ビデオデコーダ５およびオーディオＡ／Ｄ変換回路６は第１の信号処理回路１に含まれ
、ＭＰＥＧ２エンコーダ２およびオーディオ処理回路８は第２の信号処理回路２に含まれ
る。また、ＭＰＥＧ２デコーダ９およびオーディオ処理回路１０は第３の信号処理回路３
に含まれ、ビデオエンコーダ１１およびオーディオＤ／Ａ変換回路１２は第４の信号処理
回路４に含まれる。第１の信号処理回路１および第２の信号処理回路２は記録系の処理回
路であり、第３の信号処理回路３および第４の信号処理回路４は再生系の処理回路である
。
【００３６】
図２は本実施形態においてＤＶＤビデオ規格に準拠したＶＯＢ（ビデオオブジェクト）
のデータ構造を示す図である。
【００３７】
図２において、ＶＯＢは複数のセルによって構成されており、各セルは複数のＶＯＢＵ
（ビデオオブジェクトユニット）によって構成されている。各ＶＯＢＵ（ビデオオブジェ
クトユニット）は、ＮＶ＿ＰＣＫ（ナビゲーションパック）と、Ｖ＿ＰＣＫ（ビデオパッ
ク）と、ＳＰ＿ＰＣＫ（サブピクチャパック）と、Ａ＿ＰＣＫ（オーディオパック）との
少なくとも１つを含んでいる。
【００３８】
ＮＶ＿ＰＣＫ（ナビゲーションパック）情報は、ＰＣＩ（再生制御情報）とＤＳＩ（デ
ータサーチ情報）を含んで構成されている。ＰＣＩ（再生制御情報）とＤＳＩ（データサ
ーチ情報）には、ＶＯＢＵ（ビデオオブジェクトユニット）のデータ量、タイトルの再生
を開始してから対応するＶＯＢＵ（ビデオオブジェクトユニット）の再生を開始するまで
の再生時間、次に再生すべきＶＯＢＵ（ビデオオブジェクトユニット）の位置などの情報
が設定されている。なお、ＰＣＩ（再生制御情報）には、当該光ディスクがレジューム再
生可能である場合は、レジューム再生が可能であることを判別するためのレジューム可能
情報も含まれる。
【００３９】
Ｖ＿ＰＣＫ（ビデオパック）と、ＳＰ＿ＰＣＫ（サブピクチャパック）と、Ａ＿ＰＣＫ
（オーディオパック）とは、それぞれ再生データの種別（動画、サブピクチャ、オーディ
オ）などの情報が含まれているパックヘッダ、パケットヘッダや、データ圧縮された圧縮
再生データ（ビデオデータ、サブピクチャデータ、オーディオデータ）を含んで構成され
ている。
【００４０】
図３は、本実施形態においてフラッシュメモリからの固定映像データを光ディスクに記
録する際に、固定映像データをセルの先頭のＶＯＢＵ（ビデオオブジェクトユニット）の
みに記録することを説明するためのデータ構造図である。固定映像データは、例えば、図
３に示すように、セル♯１の先頭のＶＯＢＵ（ビデオオブジェクトユニット）♯１に、セ
ル♯２の先頭のＶＯＢＵ（ビデオオブジェクトユニット）♯１にそれぞれ記録される。以
降のセルについても同様に、固定映像データはセルの先頭のＶＯＢＵ（ビデオオブジェク
トユニット）に記録される。
【００４１】
図４は本実施形態において光ディスクに映像音声情報を記録する際の映像切換処理を説
明するためのフローチャートである。このフローチャートを参照して光ディスクに映像音
声情報を記録する際の映像切換処理について説明する。
【００４２】
例えば、テレビジョン放送番組を記録するために光ディスク１５を用意し、この光ディ
スク１５を光ディスク記録再生装置に挿入する（ステップＳ１）。そして、光ディスク記
録再生装置を記録モード（録画モード）に設定すると（ステップＳ２）、記録したいテレ
ビジョン放送番組の映像信号および音声信号が、光ディスク記録再生装置内のチューナ（
図示せず）またはテレビジョン受信機の外部出力端子（図示せず）から出力され、ビデオ
デコーダ５およびオーディオＡ／Ｄ変換回路６にそれぞれ入力される。
【００４３】
ここで、システムコントローラ１６の信号有無判定手段１７は、ビデオデコーダ５にお
ける入力映像信号が有るか否かを検出し（ステップＳ３）、入力映像信号があった場合は
、システムコントローラ１６はスイッチ駆動回路２０を駆動させ、これにより、スイッチ
手段１９は入力映像側を選択する（ステップＳ７）。即ち、スイッチ手段１９は、ビデオ
デコーダ５の出力端とＭＰＥＧ２エンコーダ７の入力端とを接続する。したがって、ビデ
オデコーダ５からのデジタル映像信号がＭＰＥＧ２エンコーダ７に入力され、ＭＰＥＧ２
方式でエンコードされ、ＭＰＥＧ２エンコーダ７からは記録用に圧縮された映像データが
出力される。
【００４４】
また、アナログの入力音声信号はオーディオＡ／Ｄ変換回路６に与えられてデジタル音
声信号となってオーディオＡ／Ｄ変換回路６から出力され、更に、そのデジタル音声信号
は、オーディオ処理回路８に入力されてバッファおよび圧縮されて圧縮オーディオデータ
としてオーディオ処理回路８から出力される。
【００４５】
したがって、ＭＰＥＧ２エンコーダ７から出力された圧縮映像データおよびオーディオ
処理回路８から出力された圧縮音声データは、ストリームコントローラ１３を介して圧縮
映像音声データとなり、この圧縮映像音声データはフロントエンド１４に入力され、ＤＶ
Ｄビデオ規格に準拠したデータ形式で光ディスク１５に記録される（ステップＳ８）。
【００４６】
一方、システムコントローラ１６の信号有無判定手段１７がビデオデコーダ５に入力映
像信号が無いと判定すると（ステップＳ３）、システムコントローラ１６はスイッチ駆動
回路２０を駆動させ、これにより、スイッチ駆動回路２０はスイッチ手段１９が固定映像
側を選択するようにスイッチ手段１９を駆動する（ステップＳ４）。即ち、スイッチ手段
１９は、フラッシュメモリ１８の出力端とＭＰＥＧ２エンコーダ７の入力端とを接続する
ように切り換えられる。
【００４７】
これにより、システムコントローラ１６はフラッシュメモリ１８から固定映像データを
読み出す（ステップＳ５）。この読み出された固定映像データはＭＰＥＧ２エンコーダ７
に入力され、ＭＰＥＧ２方式でエンコードされ、圧縮された固定映像データとしてＭＰＥ
Ｇ２エンコーダ７から出力される。固定映像データを用いるのは、テレビジョン放送が中
断したり、アンテナが外れたりした時に、入力映像信号が無くなり、それがノイズとなっ
て画面に現れるので、それに代わり固定映像を画面に表示すれば、ノイズが現れるような
ことが無くなることになる。
【００４８】
また、テレビジョン放送が中断したり、アンテナが外れたりした時に、固定映像データ
と共に音声データも記録したい場合は、オーディオＡ／Ｄ変換回路６に他のオーディオ機
器からの音声信号を入力すれば、固定映像データと入力音声データを光ディスク１５に記
録することができる（ステップＳ６）。
【００４９】
このようなステップＳ３〜Ｓ８までの処理が記録終了するまで行われ、記録が終了する
と（ステップＳ９）、本映像切換処理は終わる。
【００５０】
なお、本実施形態において、固定映像データを光ディスクに記録する際、ＤＶＤビデオ
規格に準拠させ、固定映像データをセルの先頭のＶＯＢＵのみに記録するようにした場合
は、オーディオデータを長時間で記録でき、ＤＶＤプレイヤーなどで再生を行うことが可
能になる。
【００５１】
以上のように本実施形態によれば、光ディスクへの記録時において入力映像信号が無い
場合はノイズ画を記録しないようにし、その代わりに固定映像を記録できるようにしたの
で、この光ディスクを再生しても、ノイズ画は画面上には現れず、ユーザに不快感を与え
ることがなくなる。また、ＤＶＤビデオ規格で固定映像を記録することで、ＤＶＤプレイ
ヤーなどでも、その光ディスクを再生できる。なお、固定映像データを記録する先頭のＶ
ＯＢＵ以外のＶＯＢＵにオーディオデータを記録するように設定した場合は、オーディオ
専用の光ディスクとして利用することもできる。
【図面の簡単な説明】
【００５２】
【図１】本発明の一実施形態に係る光ディスク記録再生の構成を示すブロック図である。
【図２】前記実施形態においてＤＶＤビデオ規格に準拠したＶＯＢ（ビデオオブジェクト）のデータ構造を示す図である。
【図３】前記実施形態においてフラッシュメモリからの固定映像データを光ディスクに記録する際に固定映像データをセルの先頭のＶＯＢＵ（ビデオオブジェクトユニット）のみに記録することを説明するためのデータ構造図である。
【図４】前記実施形態において光ディスクに映像音声情報を記録する際の映像切換処理を説明するためのフローチャートである。
【図５】従来の光ディスク記録再生装置の構成を示すブロック図である。
【符号の説明】
【００５３】
５    ビデオデコーダ
７    ＭＰＥＧ２エンコーダ
１１    光ディスク
１７    信号有無判定手段
１８    フラッシュメモリ
１９    スイッチ手段
２０    スイッチ駆動回路（スイッチ駆動手段）
【図１】
2006099823.tif 000003
【図２】
2006099823.tif 000004
【図３】
2006099823.tif 000005
【図４】
2006099823.tif 000006
【図５】
2006099823.tif 000007